(57)【特許請求の範囲】
【請求項１】
部品の裏面に一方が開口し三方が両側壁と奥壁とで閉鎖された保持座を設け、該保持座内に挿入されるベース板とパネルの取付孔に係着する係止脚を備えるクリップを用いて、上記の部品をパネルに取り付ける取付構造において、保持座を画成する両側壁と奥壁の端縁に開口に向かって開放された中央切欠部を有する挾持壁を連続する状態をもって形成すると共に、保持座を画成する両側壁の開口寄り部位に内方に突出する一対のロック爪を形成し、クリップのベース板と係止脚とを連結する支柱の一端側に先端が上記一対のロック爪の間隔巾よりも外方へ拡開し上記挾持壁の中央切欠部の形状に略相似して全体が嵌る一対の弾性腕を横設して、クリップのベース板を保持座内に挿入した時点で、当該一対の弾性腕の先端を対応するロック爪に係止させるように構成したことを特徴とする部品の取付構造。
【請求項２】
ベース板の他端側の巾を若干大きくしたことを特徴とする請求項１記載の部品の取付構造。
【発明の詳細な説明】
【０００１】
【発明の属する技術分野】
本発明は、例えば、自動車サイドモール等の部品を所定のパネルにクリップを介して取り付ける取付構造の改良に関するものである。
【０００２】
【従来の技術】
従来のこの種部品の取付構造として、実開平５−５６０３号公報に示すものが存する。
該従来の取付構造は、具体的には図示しないが、サイドモール等の樹脂製部品に対しては、その裏面に一方が開口し三方が両側壁と奥壁とで閉鎖された矩形状の保持座を必要な数だけ一体に突設して、該保持座を画成する両側壁の各端縁に内方へ折曲する挾持片を延設すると共に、この対向する各挾持片の開口寄り部位に更に内方へ突出する一対のロック爪を形成する構成となしている。
【０００３】
又、クリップに対しては、合成樹脂材料で、上記保持座内にその開口から挿入される矩形状のベース板と、パネルの取付孔に係着する錨状の係止脚とを有する形態に成形して、ベース板と係止脚とを連結する支柱の付け根部に台形部を一体に付設する構成となしている。
尚、この台形部は、自身の前端側の寸法が上記一対のロック爪の間隔巾よりも小さくなるように設定され、後端側の寸法が一対のロック爪の間隔巾よりも大きくなるように設定されている。
【０００４】
そして、部品をパネルに取り付ける場合には、上記台形部の前端側を保持座の開口と対面させながら、クリップのベース板を保持座内にその開口から挿入すると、上記した寸法差により、台形部の前端側は一対のロック爪の間を何らの抵抗もなく通過できるが、台形部の後端側はロック爪に当接してその通過が阻止される。
【０００５】
そこで、斯る時点において、更に、クリップのベース板を強制的に保持座内に押し込むと、台形部の後端側が、保持座を画成する両側壁の外方への撓みを得て、一対のロック爪を無理に押し拡げながら通過して、通過後に、各ロック爪の内端縁に係止するので、これにより、クリップの保持座からの抜け外れが防止されると同時に、クリップのベース板自体は、保持座を画成する両側壁に延設された挾持片と部品の裏面間で確実に挾持される。
従って、後は、部品を把持しながら、クリップの錨状を呈する係止脚をパネル側に予め開設されている取付孔に弾性的に係着すれば、部品がパネルに取り付けられることとなる。
【０００６】
【発明が解決しようとする課題】
然し乍ら、従来の取付構造の下では、クリップの保持座からの抜け外れを防止するために、クリップ側に台形部を一体に設けて、その前後端の寸法差を利用しながら、当該台形部の後端縁を一対のロック爪に強制的に係止させる構成を採用している関係で、例え、ロック爪の外端縁側にテーパーガイド面を付与したとしても、保持座内に対するクリップのベース板の挿入作業が大変となる嫌いがあった。特に、この現象は、保持座のロック爪と連なる両側壁が厚肉となっているような場合には、かなりの大きな力が要求されることとなるので、その作業性は一層困難なものとなる。
この為、ロック爪と連なる両側壁を撓み易くなるように薄肉となせば、ロック爪の外方への押し拡げが比較的容易となるので、挿入作業の改善が図れるかも知れないが、今度は、クリップの抜け外れ防止機能が低下する恐れが十分にある。尚、このことは、保持座の成形材料自体の硬軟によっても、同様に言えることである。
【０００７】
【課題を解決するための手段】
本発明は、上記従来取付構造の抱える課題を有効に解決するために開発されたもので、請求項１記載の発明は、部品の裏面に一方が開口し三方が両側壁と奥壁とで閉鎖された保持座を設け、該保持座内に挿入されるベース板とパネルの取付孔に係着する係止脚を備えるクリップを用いて、上記の部品をパネルに取り付ける取付構造において、保持座を画成する両側壁と奥壁の端縁に開口に向かって開放された中央切欠部を有する挾持壁を連続する状態をもって形成すると共に、保持座を画成する両側壁の開口寄り部位に内方に突出する一対のロック爪を形成し、クリップのベース板と係止脚とを連結する支柱の一端側に先端が上記一対のロック爪の間隔巾よりも外方へ拡開し上記挾持壁の中央切欠部の形状に略相似して全体が嵌る一対の弾性腕を横設して、クリップのベース板を保持座内に挿入した時点で、当該一対の弾性腕の先端を対応するロック爪に係止させる構成を採用した。
又、請求項２記載の発明は、請求項１を前提として、ベース板の他端側の巾を若干大きくする構成を採用した。
【０００８】
依って、本発明の下で、部品の保持座内にクリップのベース板を挿入する場合には、例え、一対の弾性腕の先端が一対のロック爪の間隔巾よりも外方へ大きく拡開していても、一対のロック爪の間を通過する過程では、各弾性腕が自身の弾性を利用して内方へ撓んで通過することを許容できるので、ロック爪を形成する両側壁の厚薄や成形材料の硬軟の影響を受けずに、ベース板の挿入作業が至って円滑且つ容易に行なえることとなる。
しかも、ロック爪の間を通過した後は、一対の弾性腕が原形に復帰して、自身の先端を対応するロック爪に強固に係止するので、クリップの保持座からの抜け外れも確実に防止されることとなる。
【０００９】
【発明の実施の形態】
以下、本発明を図示する一実施の形態に基づいて詳述すれば、該実施の形態に係る取付構造も、図１に示す如く、樹脂製の部品１の裏面側に、一方が開口２ａし三方が両側壁２ｂと奥壁２ｃとで閉鎖された保持座２を突設し、該保持座２内にその開口２ａから樹脂クリップ１１のベース板１２を挿入する状態を得て、当該クリップ１１の錨状の係止脚１３を後述するパネルＰの取付孔Ｈに係着することにより、部品１をパネルＰに取り付けるものではあるが、特徴とするところは、以下の構成を採用した点にある。
【００１０】
まず、部品１に対しては、裏面に上記の保持座２を必要な数だけ一体に設ける訳であるが、その両側壁２ｂと奥壁２ｃの端縁に対して、開口２ａに向かって開放された中央切欠部４を有する挾持壁３を連続する状態をもって形成して、保持座２自体に箱形形態を積極的に付与する一方、両側壁２ｂの開口２ａ寄りに位置する挾持壁３の縁部に内方へ突出する一対のロック爪５を一体に形成して、当該各ロック爪５の外端を外側に広がるテーパーガイド面５ａとなす構成となっている。
【００１１】
又、クリップ１１に対しては、図２にも示す如く、上記ベース板１２と錨状の係止脚１３とを連結する断面長方形状を呈する支柱１４の一端側付け根寄りに、先端が上記一対のロック爪５の間隔巾よりも外方へ拡開した一対の弾性腕１５を平面対称の関係をもって撓み可能に横設して、当該各弾性腕１５の先端段部１６を上記一対のロック爪５の内端縁５ｂに係止させる構成となっている。
この為、本実施の形態の下では、上記挾持壁３の中央切欠部４を一対の弾性腕１５の外郭と略相似する形状となす一方、クリップ１１のベース板１２を保持座２内にガタなく挿入できる大きさと肉厚を有する矩形状となしているが、特に、保持座２への挿入量を規制するために、ベース板１２の他端側の巾を若干大きくしている。
【００１２】
尚、図中、１７は、上記一対の弾性腕１５の上位において、支柱１４の一端側に形成された一対のガタ防止片で、錨状の係止脚１３がパネルＰの取付孔Ｈに係着した時点で、当該取付孔Ｈの周面に支柱１４の他端面と一緒に接触して、係着状態におけるクリップ１１の各方向に対するガタつきを防止する働きをなすものである。
【００１３】
依って、斯る構成のクリップ１１を用いて、部品１をパネルＰに取り付ける場合には、最初は、従来と同様に、部品１の各保持座２内にその開口２ａからクリップ１１のベース板１２を支柱１４の一端側から挿入することとなるが、ベース板１２が保持座２内に挿入されるに伴い、各ロック爪５のテーパーガイド面５ａの案内を得て、外方へ拡開した一対の弾性腕１５も一対のロック爪５の間を通過しようとする。
【００１４】
しかし、この通過においては、例え、一対の弾性腕１５の先端がロック爪５の間隔巾よりも外方へ大きく拡開していても、ロック爪５の間を通過する過程では、一対の弾性腕１５が自身の弾性を利用して内方へ撓んでセンタリングされながら通過して、挾持壁３の中央切欠部４内に収まることが自動的に許容されるので、従来のものと比較すると、ベース板１２の保持座２内に対する挿入作業が円滑且つ容易に行なえることとなる。
【００１５】
そして、ロック爪５の間を完全に通過すると、今度は、図３に示す如く、一対の弾性腕１５が原形に復帰して、各自の先端段部１６を対応するロック爪５の内端縁５ｂに強固に係止するので、これにより、クリップ１１の保持座２からの抜け外れが確実に防止できる。尚、この場合に、寸法誤差が生じていても、当該寸法誤差を効果的に吸収できるので、寸法誤差による悪影響を受ける心配もない。
【００１６】
又、斯る状態の下では、クリップ１１のベース板１２自体は、両側壁２ｂと奥壁２ｃとで包囲されながら、挾持壁３の内面と保持座２の底面（本実施の形態では部品１の裏面）間で確実に挾持されることとなるので、上記の抜け外れ防止状態と相俟って、クリップ１１は部品１の保持座２側に確実に保持されることとなる。
従って、後は、部品１を把持しながら、図４・図５に示す如く、クリップ１１の錨状の係止脚１３をパネルＰ側に予め開設されている取付孔Ｈに弾性的に係着すれば、部品１がパネルＰ側に確実に取り付けられることとなる。
尚、係止脚１３の取付孔Ｈに対する係着状態にあっては、図示する如く、支柱１４の他端面とガタ防止片１７とが取付孔Ｈの対向する周面に接触することとなるので、クリップ１１自体が部品１を伴って取付孔Ｈ内で不用意にガタつく心配も決してない。
【００１７】
【発明の効果】
以上の如く、本発明は、上記構成の採用より、保持座を画成する両側壁の厚薄やその成形材料の硬軟の影響を受けずに、クリップのベース板を部品の保持座内に至って円滑且つ容易に挿入することが可能となる上に、クリップの保持座からの強い抜け止め防止力を提供できることとなった。
従って、本発明の下では、保持座を画成する両側壁の肉厚を必要に応じて厚くできることは言うまでもないが、特に、弾性腕の採用に起因して、ロック爪との寸法誤差等を効果的に吸収することも可能となる。
【図面の簡単な説明】
【図１】本発明の一実施の形態に係る取付構造に供される部品とクリップの関係を示す要部分解斜視図である。
【図２】（Ａ）はクリップの正面図、（Ｂ）は同平面図、（Ｃ）は同側面図、（Ｄ）は図２ＣのＡ−Ａ線断面図である。
【図３】クリップの一対の弾性腕が保持座のロック爪に係止した状態を一部切欠して示す要部平面図である。
【図４】部品をパネルに取り付けた状態を示す要部断面図である。
【図５】部品をパネルに取り付けた状態を別の方向から示す要部断面図である。
【符号の説明】
１   部品
２   保持座
２ａ  保持座の開口
２ｂ  保持座の側壁
２ｃ  保持座の奥壁
３   挾持壁
４   中央切欠部
５   ロック爪
５ａ  ロック爪の外端テーパーガイド面
５ｂ  ロック爪の内端縁
１１  クリップ
１２  ベース板
１３  係止脚
１４  支柱
１５  弾性腕
１６  弾性腕の先端段部
１７  ガタ防止片
【図１】
0003684255.tif 000002
【図２】
0003684255.tif 000003
【図３】
0003684255.tif 000004
【図４】
0003684255.tif 000005
【図５】
0003684255.tif 000006